(57)【要約】【課題】現金と金券とが混在する支払いの際に生じるミスを軽減する。【解決手段】自動釣銭機１００は、紙片が予め登録された紙幣と釣銭支払可の金券と釣銭支払不可の金券とのいずれであるかを判別するとともに、当該紙片の額面を判別する紙片判別部１２４と、紙幣と判別された紙片の額面と釣銭支払可の金券と判別された紙片の額面との合計を釣銭上限額として求める釣銭上限取得部１２７と、受取金額と購入額との差を釣銭額として求め、当該釣銭額が釣銭上限額以下であるときに、当該釣銭額に相当するお釣りを支払い、当該釣銭額が釣銭上限額以下ではないときに、当該釣銭上限額に相当するお釣りを支払う釣銭支払部１２２とを備える。【選択図】図３
2018190229.tif 000002
【特許請求の範囲】
【請求項１】
購入品の代金を決済するための自動釣銭機であって、
前記購入品の金額である購入額を取得する購入額取得部と、
紙片を受け取るための紙片受取部と、
前記紙片受取部を通じて受け取った前記紙片の画像を読み取る紙片スキャナと、
前記読み取られた画像に基づいて、前記紙片が予め登録された紙幣と釣銭支払可の金券と釣銭支払不可の金券とのいずれであるかを判別するとともに、当該紙片の額面を判別する紙片判別部と、
前記紙幣と判別された紙片の額面と、前記釣銭支払可の金券と判別された紙片の額面と、前記釣銭支払不可の金券と判別された紙片の額面との合計を受取金額として求める受取金額取得部と、
前記紙幣と判別された前記紙片の額面と前記釣銭支払可の金券と判別された前記紙片の額面との合計を釣銭上限額として求める釣銭上限取得部と、
前記受取金額が前記購入額よりも多い場合に、前記受取金額と前記購入額との差を釣銭額として求め、当該釣銭額が前記釣銭上限額以下であるときに、当該釣銭額に相当するお釣りを支払い、当該釣銭額が前記釣銭上限額以下ではないときに、当該釣銭上限額に相当するお釣りを支払う釣銭支払部とを備える
ことを特徴とする自動釣銭機。
【請求項２】
紙幣を収容するための紙幣収容部と、金券を収容するための金券収容部とに内部が区切られた収容庫と、
前記紙片判別部によって紙幣と判別された前記紙片を前記紙幣収容部へ搬送する紙幣搬送部と、
前記紙片判別部によって金券と判別された前記紙片を前記金券収容部へ搬送する金券搬送部とをさらに備える
ことを特徴とする請求項１に記載の自動釣銭機。
【請求項３】
前記金券収容部は、前記釣銭支払可の金券を収容するための第１金券収容部と前記釣銭支払不可の金券を収容するための第２金券収容部とに区切られており、
前記金券搬送部は、前記紙片判別部によって釣銭支払可の金券と判別された前記紙片を前記第１金券収容部へ搬送する第１金券搬送部と、前記紙片判別部によって釣銭支払不可の金券と判別された前記紙片を前記第２金券収容部へ搬送する第２金券搬送部とを含む
ことを特徴とする請求項１又は２に記載の自動釣銭機。
【請求項４】
前記第１金券収容部と前記第２金券収容部とは、それぞれ、前記収容される釣銭支払可の金券の額面と前記釣銭支払不可の金券の額面とに応じてさらに区切られており、
前記第１金券搬送部は、前記紙片判別部によって釣銭支払可の金券と判別された前記紙片を、前記紙片判別部によって判別された当該紙片の額面に応じた前記第１金券収容部の区画へ搬送し、
前記第２金券搬送部は、前記紙片判別部によって釣銭支払不可の金券と判別された前記紙片を、前記紙片判別部によって判別された当該紙片の額面に応じた前記第２金券収容部の区画へ搬送する
ことを特徴とする請求項３に記載の自動釣銭機。
【請求項５】
前記紙幣収容部は、前記収容される紙幣の額面に応じてさらに区切られており、
前記紙幣搬送部は、前記紙片判別部によって紙幣と判別された前記紙片を、前記紙片判別部によって判別された当該紙片の額面に応じた前記紙幣収容部の区画へ搬送する
ことを特徴とする請求項３又は４に記載の自動釣銭機。
【請求項６】
硬貨を受け取るための硬貨受取部をさらに備え、
前記硬貨受取部を通じて受け取った前記硬貨の金額を判別する硬貨判別部と、
前記受取金額取得部は、前記硬貨の金額の合計である硬貨受取額をさらに含む前記受取金額を求め、
前記釣銭上限取得部は、前記硬貨受取額をさらに含む前記釣銭上限額を求める
ことを特徴とする請求項１から５のいずれか１項に記載の自動釣銭機。
【請求項７】
購入品の代金を決済するための自動釣銭機の制御方法であって、
前記購入品の金額である購入額を取得することと、
紙片を受け取るための紙片受取部を通じて受け取った前記紙片の画像を読み取ることと、
前記読み取られた画像に基づいて、前記紙片が予め登録された紙幣と釣銭支払可の金券と釣銭支払不可の金券とのいずれであるかを判別するとともに、当該紙片の額面を判別することと、
前記紙幣と判別された紙片の額面と、前記釣銭支払可の金券と判別された紙片の額面と、前記釣銭支払不可の金券と判別された紙片の額面との合計を受取金額として求めることと、
前記紙幣と判別された前記紙片の額面と前記釣銭支払可の金券と判別された前記紙片の額面との合計を釣銭上限額として求めることと、
前記受取金額が前記購入額よりも多い場合に、前記受取金額と前記購入額との差を釣銭額として求め、当該釣銭額が前記釣銭上限額以下であるときに、当該釣銭額に相当するお釣りを支払い、当該釣銭額が前記釣銭上限額以下ではないときに、当該釣銭上限額に相当するお釣りを支払うこととを含む
ことを特徴とする自動釣銭機の制御方法。
【発明の詳細な説明】
【技術分野】
【０００１】
本発明は、自動釣銭機及びその制御方法に関する。
【背景技術】
【０００２】
コンビニエンスストア、スーパーマーケットなどの各種商品を販売する店舗には、現金だけでなく金券による支払いを受け付ける店舗がある。この種の店舗の例えばレジ係の店員は、金券によって支払われた場合には、その金券が店舗において利用可能な種類の金券であるか否か、釣り銭の支払いが可能な金券であるか否か、などを判別する必要がある。金券の種類は種々であるため、その判別を誤ることがある。また、決済時に金券による支払額をレジスタなどへ入力する際、その金額を誤って入力してしまうことがある。
【０００３】
このような判別の誤りや誤入力を軽減し得る装置として、例えば特許文献１に記載の金券類入金処理機がある。特許文献１に記載の金券類入金処理機は、釣銭支払可否について、金券上に設けられている券種コードに基づいて自動的に判定する。そして、特許文献１に記載の金券類入金処理機は、釣銭支払可の商品券の額面の合計が釣銭額以上の場合、釣銭額の情報を操作／表示部に表示、あるいはレジ側に送信する。
【先行技術文献】
【特許文献】
【０００４】
【特許文献１】特開２００２−０９２７３７号公報
【発明の概要】
【発明が解決しようとする課題】
【０００５】
しかしながら、特許文献１に記載の金券類入金処理機は、金券のみに支払いを想定しており、現金のみによる支払い、又は、現金と金券との両者による支払いに対応することが困難である。
【０００６】
本発明は、上記の事情に鑑みてなされたものであって、現金と金券とが混在する支払いの際に生じるミスを軽減することが可能な自動釣銭機などを提供することを目的とする。
【課題を解決するための手段】
【０００７】
上記目的を達成するため、本発明の第１の観点に係る自動釣銭機は、
購入品の代金を決済するための自動釣銭機であって、
前記購入品の金額である購入額を取得する購入額取得部と、
紙片を受け取るための紙片受取部と、
前記紙片受取部を通じて受け取った前記紙片の画像を読み取る紙片スキャナと、
前記読み取られた画像に基づいて、前記紙片が予め登録された紙幣と釣銭支払可の金券と釣銭支払不可の金券とのいずれであるかを判別するとともに、当該紙片の額面を判別する紙片判別部と、
前記紙幣と判別された紙片の額面と、前記釣銭支払可の金券と判別された紙片の額面と、前記釣銭支払不可の金券と判別された紙片の額面との合計を受取金額として求める受取金額取得部と、
前記紙幣と判別された前記紙片の額面と前記釣銭支払可の金券と判別された前記紙片の額面との合計を釣銭上限額として求める釣銭上限取得部と、
前記受取金額が前記購入額よりも多い場合に、前記受取金額と前記購入額との差を釣銭額として求め、当該釣銭額が前記釣銭上限額以下であるときに、当該釣銭額に相当するお釣りを支払い、当該釣銭額が前記釣銭上限額以下ではないときに、当該釣銭上限額に相当するお釣りを支払う釣銭支払部とを備える。
【０００８】
上記目的を達成するため、本発明の第２の観点に係る自動釣銭機の制御方法は、
購入品の代金を決済するための自動釣銭機の制御方法であって、
前記購入品の金額である購入額を取得することと、
紙片を受け取るための紙片受取部を通じて受け取った前記紙片の画像を読み取ることと、
前記読み取られた画像に基づいて、前記紙片が予め登録された紙幣と釣銭支払可の金券と釣銭支払不可の金券とのいずれであるかを判別するとともに、当該紙片の額面を判別することと、
前記紙幣と判別された紙片の額面と、前記釣銭支払可の金券と判別された紙片の額面と、前記釣銭支払不可の金券と判別された紙片の額面との合計を受取金額として求めることと、
前記紙幣と判別された前記紙片の額面と前記釣銭支払可の金券と判別された前記紙片の額面との合計を釣銭上限額として求めることと、
前記受取金額が前記購入額よりも多い場合に、前記受取金額と前記購入額との差を釣銭額として求め、当該釣銭額が前記釣銭上限額以下であるときに、当該釣銭額に相当するお釣りを支払い、当該釣銭額が前記釣銭上限額以下ではないときに、当該釣銭上限額に相当するお釣りを支払うこととを含む。
【発明の効果】
【０００９】
本発明によれば、現金と金券とが混在する支払いの際に生じるミスを軽減することが可能になる。
【図面の簡単な説明】
【００１０】
【図１】本発明の一実施の形態に係る自動釣銭機の外観を示す図である。
【図２】一実施の形態に係る収納庫を上方から見た図である。
【図３】一実施の形態に係る自動釣銭機の内部構成を示す図である。
【図４】紙幣・金券情報の一例を示す図である。
【図５】本発明の一実施の形態に係る決済処理の流れを示すフローチャートである。
【図６】図５に示す紙片取込処理の流れを示すフローチャートである。
【図７】図５に示す硬貨取込処理の流れを示すフローチャートである。
【図８】図５に示す釣銭支払い処理の流れを示すフローチャートである。
【発明を実施するための形態】
【００１１】
本発明の一実施の形態について図面を参照して説明する。
【００１２】
本発明の一実施の形態に係る自動釣銭機１００は、購入品の代金の決済をするための機器であって、ＰＯＳ紙片搬出部（Ｐｏｉｎｔ  ｏｆ  ｓａｌｅｓ）システムの端末（ＰＯＳ端末）である。購入品とは、例えば、ンビニエンスストア、スーパーマーケットなどで顧客が購入しようとする商品である。
【００１３】
自動釣銭機１００は、図１に示すように、表示部１０１と、紙片受取部１０２と、硬貨受取部１０３と、収納庫１０４と、紙片返却部１０５と、硬貨返却部１０６とを備える。さらに、自動釣銭機１００は、図３に示すように、紙片スキャナ１０７と、紙幣搬送部１０８と、金券搬送部１０９と、硬貨搬送部１１０と、紙片搬出部１１１と、硬貨搬出部１１２と、プリンタ１１３と、制御ユニット１１４とを内部に備える。
【００１４】
表示部１０１は、オペレータに各種の情報を表示する。本実施の形態に係る表示部１０１は、例えば液晶表示パネルであって、タッチ位置を検出する透明なシート（図示せず）とともにタッチパネルを構成する。
【００１５】
紙片受取部１０２は、紙片を受け取るための部位である。本実施の形態に係る紙片受取部１０２は左右に延びるスリットを形成しており、オペレータがこのスリットへ紙片を挿入すると、その紙片が自動釣銭機１００の内部に取り込まれる。ここで、紙片とは、購入代金の支払いのために利用可能なものとして予め定められた紙幣及び金券を含む。
【００１６】
硬貨受取部１０３は、硬貨を受け取るための部位である。本実施の形態に係る硬貨受取部１０３は凹状をなしており、オペレータが硬貨受取部１０３に硬貨を投入すると、その硬貨が自動釣銭機１００の内部に取り込まれる。
【００１７】
収納庫１０４は、予め定められた紙幣、金券及び硬貨のいずれかを受け取った場合、その紙幣、金券及び硬貨を自動釣銭機１００の内部に収納するための部位である。
【００１８】
本実施の形態に係る収納庫１０４は、それを上方から見た図２に示すように、紙幣収容部１１５と、硬貨収容部１１６と、金券収容部１１７とに区切られている。
【００１９】
紙幣収容部１１５は、紙幣を収容するための部位である。本実施の形態に係る紙幣収容部１１５は、収容される紙幣の額面に応じてさらに区切られている。詳細には、紙幣収容部１１５は、区切られた区画として、１００００円札、５０００円札、１０００円札のそれぞれを収容するための紙幣収容部１１５＿１〜１１５＿３を含む。
【００２０】
硬貨収容部１１６は、硬貨を収容するための部位である。本実施の形態に係る硬貨収容部１１６は、収容される硬貨の金額に応じてさらに区切られている。詳細には、硬貨収容部１１６は、区切られた区画として、５００円硬貨、１００円硬貨、５０円硬貨、１０円硬貨、５円硬貨、１円硬貨のそれぞれを収容するための硬貨収容部１１６＿１〜１１６＿６を含む。
【００２１】
金券収容部１１７は、金券を収容するための部位である。本実施の形態に係る金券収容部１１７は、第１金券収容部１１７＿１及び１１７＿２と第２金券収容部１１７＿３及び１１７＿４とにさらに区切られている。第１金券収容部１１７＿１及び１１７＿２は、釣銭支払可の金券を収容するための部位である。第２金券収容部１１７＿３及び１１７＿４は、釣銭支払不可の金券を収容するための部位である。
【００２２】
ここで、釣銭支払可の金券とは、釣銭が発生した場合に、釣銭を支払う必要がある金券である。釣銭支払不可の金券とは、釣銭が発生した場合であっても、釣銭を支払わなくてよい金券である。
【００２３】
本実施の形態に係る第１金券収容部１１７＿１及び１１７＿２と第２金券収容部１１７＿３及び１１７＿４とは、それぞれ、収容される釣銭支払可の金券の額面と釣銭支払不可の金券の額面とに応じてさらに区切られている。
【００２４】
詳細には、第１金券収容部１１７＿１及び１１７＿２は、区切られた区画として、例えば、額面が５０００円である釣銭支払可の金券を収容するための第１金券収容部１１７＿１を含む。第１金券収容部１１７＿１及び１１７＿２は、区切られた区画として、例えば、額面が１０００円である釣銭支払可の金券を収容するための第１金券収容部１１７＿２を含む。第２金券収容部１１７＿３及び１１７＿４は、区切られた区画として、例えば、額面が１０００円である釣銭支払可の金券を収容するための第２金券収容部１１７＿３を含む。第２金券収容部１１７＿３及び１１７＿４は、区切られた区画として、例えば、額面が５００円である釣銭支払可の金券を収容するための第２金券収容部１１７＿４を含む。
【００２５】
紙片返却部１０５は、紙片を返却するための部位である。本実施の形態に係る紙片返却部１０５は左右に延びるスリットを形成しており、このスリットを通じて紙片が自動釣銭機１００の外部へ排出される。
【００２６】
硬貨返却部１０６は、硬貨を返却するための部位である。本実施の形態に係る硬貨返却部１０６は凹状をなしており、硬貨は、硬貨返却部１０６に排出されることによって、自動釣銭機１００の外部に排出される。
【００２７】
紙片スキャナ１０７は、紙片受取部１０２を通じて受け取った紙片の画像を読み取るスキャナである。紙片スキャナ１０７は、読み取った画像を示す画像情報を出力する。
【００２８】
紙幣搬送部１０８は、紙片受取部１０２が紙幣を受け取った場合に、当該紙幣を紙幣収容部１１５へ搬送する。詳細には、紙幣搬送部１０８は、当該紙幣をその額面に応じた紙幣収容部１１５＿１〜１１５＿３へ搬送する。
【００２９】
金券搬送部１０９は、紙片受取部１０２が金券を受け取った場合に、当該金券を金券収容部１１７へ搬送する。
【００３０】
詳細には、金券搬送部１０９は、釣銭支払可の金券を第１金券収容部１１７＿１又は１１７＿２へ搬送する第１金券搬送部を含む。また、金券搬送部１０９は、釣銭支払不可の金券を第２金券収容部１１７＿３又は１１７＿４へ搬送する第２金券搬送部を含む。
【００３１】
より詳細には、第１金券搬送部は、釣銭支払可の金券を、当該金券の額面に応じた第１金券収容部の区画１１７＿１又は区画１１７＿２へ搬送する。第２金券搬送部は、釣銭支払不可の金券を、当該金券の額面に応じた第２金券収容部の区画１１７＿３又は区画１１７＿４へ搬送する。
【００３２】
硬貨搬送部１１０は、硬貨受取部１０３が硬貨を受け取った場合に、当該硬貨を硬貨収容部１１６へ搬送する。詳細には、硬貨搬送部１１０は、当該硬貨をその金額に応じた硬貨収容部１１６＿１〜１１６＿６へ搬送する。
【００３３】
紙片搬出部１１１は、紙片を紙片返却部１０５へ搬送する。詳細には、紙片搬出部１１１は、釣り銭としての紙幣を紙片返却部１０５へ搬送する。また、紙片搬出部１１１は、紙片受取部１０２が予め定められた紙幣及び金券以外の紙片を受け取った場合に、当該紙片を紙片返却部１０５へ搬送する。
【００３４】
硬貨搬出部１１２は、硬貨を硬貨返却部１０６へ搬送する。
【００３５】
なお、紙幣搬送部１０８、金券搬送部１０９、硬貨搬送部１１０、紙片搬出部１１１、硬貨搬出部１１２の各々を物理的に構成する部品は、例えば、ローラ、モータなどである。ローラは、搬送する経路を形成する。モータは、ベルトや歯車など動力伝達機構を介して、ローラの少なくとも一部を駆動する。
【００３６】
プリンタ１１３は、レシートを印刷する。
【００３７】
制御ユニット１１４を物理的に構成する部品は、例えば、プロセッサ、電気回路、半導体メモリ、通信インタフェースなどの一部又は全部である。
【００３８】
制御ユニット１１４は、機能的には例えば図３に示すように、記憶部１１８と、制御部１１９とを備える。
【００３９】
記憶部１１８は、各種データ、上述のコンピュータ・プログラムなどを適宜記憶している。記憶部１１８は、例えば図４に示すような紙幣・金券情報１１８＿ａを記憶する。
【００４０】
紙幣・金券情報１１８＿ａは、購入代金の支払いのために利用可能な紙幣及び金券（紙片）の情報である。紙幣・金券情報１１８＿ａは、例えば、タッチパネルを通じて、又はＰＯＳシステムを構成する他の装置から取得することによって、予め設定される。
【００４１】
本実施の形態に係る紙幣・金券情報１１８＿ａは、図４に示すように、ＩＤ（Ｉｄｅｎｔｉｆｉｃａｔｉｏｎ  ｄａｔａ）と、画像と、紙幣・金券区分と、額面と、釣銭フラグとを関連付ける情報である。
【００４２】
ＩＤは、利用可能な紙片ごとの固有の情報であって、本実施の形態では利用可能な紙片ごとに適宜付与される番号である。
【００４３】
画像は、紙片を識別するための画像である。画像は、例えば紙片全体の画像であってもよく、金券の所定の位置に設けられる２次元コードであってもよく、紙幣の所定の位置に設けられる図柄であってもよい。
【００４４】
紙幣・金券区分は、紙片が紙幣と金券とのいずれであるかを示す。
【００４５】
額面は、紙片の額面である。
【００４６】
釣銭フラグは、金券が釣銭支払可の金券と釣銭支払不可の金券とのいずれであるかを示す。本実施の形態では、釣銭支払可の金券に「１」が付与され、釣銭支払不可の金券に「０」が付与される。
【００４７】
図３を再び参照する。
【００４８】
制御部１１９は、自動釣銭機１００の全体を制御する。本実施の形態に係る制御部１１９は機能的に、購入額取得部１２０と、取込部１２１と、釣銭支払部１２２とを備える。このような機能は例えば、制御ユニット１１４が予め組み込まれたコンピュータ・プログラムに従って動作することによって実現される。
【００４９】
購入額取得部１２０は、購入品の金額である購入額を取得する。詳細には、購入額取得部１２０は、リーダ（図示せず）によって読み取った購入品のバーコードに応じた金額を、当該金額が設定されたＰＯＳシステムの装置又は自身の記憶部から取得する。購入額取得部１２０は、オペレータの指示に応じて各購入品について取得した金額の合計を求めることによって購入額を取得する。
【００５０】
なお、本実施の形態とは異なり、自動釣銭機１００がＰＯＳ端末ではない場合、購入額取得部１２０は、例えば通信回線などを介してＰＯＳ端末から購入額を取得するとよい。
【００５１】
取込部１２１は、紙片受取部１０２及び硬貨受取部１０３を通じて紙片及び硬貨を自動釣銭機１００の内部に取り込むための処理を行う。
【００５２】
詳細には、取込部１２１は、搬送制御部１２３と、紙片判別部１２４と、硬貨判別部１２５と、受取金額取得部１２６と、釣銭上限取得部１２７とを有する。
【００５３】
搬送制御部１２３は、紙幣搬送部１０８、金券搬送部１０９、硬貨搬送部１１０、紙片搬出部１１１、硬貨搬出部１１２の各々による紙片又は硬貨の搬送を制御する。
【００５４】
紙片判別部１２４は、紙片スキャナ１０７によって読み取られた紙片の画像に基づいて、当該紙片が予め登録された紙幣と釣銭支払可の金券と釣銭支払不可の金券とのいずれであるかを判別する。また、紙片判別部１２４は、当該紙片の額面を判別する。
【００５５】
詳細には、紙片判別部１２４は、紙片スキャナ１０７から画像情報を取得すると、記憶部１１８から紙幣・金券情報１１８＿ａを取得する。紙片判別部１２４は、例えば、画像情報が示す紙片の画像と、紙幣・金券情報１１８＿ａが示す画像との類似度を予め定められた方法で求める。類似度は、例えば、画像中の所定領域に含まれる画素値の絶対値和として求められる。紙片判別部１２４は、求めた類似度と、予め定められた類似度に関する閾値とを比較する。紙片判別部１２４は、比較した結果に基づいて、紙片の画像が紙幣・金券情報１１８＿ａが示す画像のいずれと類似するかを判定する。ここでの類似は、一致する場合も含む。
【００５６】
そして、紙片判別部１２４は、類似すると判定された画像に、紙幣・金券情報１１８＿ａにおいて関連付けられた紙幣・金券区分、額面及び釣銭フラグに基づいて、紙片がどのようなものであるかを判別する。すなわち、紙片判別部１２４は、紙片が予め登録された紙幣と釣銭支払可の金券と釣銭支払不可の金券とのいずれであるかを判別するとともに、当該紙片の額面を判別する。
【００５７】
硬貨判別部１２５は、硬貨受取部１０３を通じて受け取った硬貨の金額を判別する。硬貨の判別は、硬貨の重さ、直径、厚み、材質などに基づいて判別されるとよい。
【００５８】
受取金額取得部１２６は、紙片判別部１２４による判別の結果に基づいて、受取金額を求める。受取金額とは、紙幣と判別された紙片の額面と、釣銭支払可の金券と判別された紙片の額面と、釣銭支払不可の金券と判別された紙片の額面との合計である。
【００５９】
本実施の形態に係る受取金額取得部１２６は、さらに、硬貨判別部１２５による判別の結果に基づいて、硬貨受取額をさらに含む受取金額を求める。硬貨受取額とは、硬貨受取部１０３を通じて受け取った硬貨の金額の合計である。
【００６０】
釣銭上限取得部１２７は、紙片判別部１２４による判別の結果に基づいて、釣銭上限額を求める。釣銭上限額とは、釣り銭として支払うべき金額の上限であって、紙幣と判別された紙片の額面と釣銭支払可の金券と判別された紙片の額面との合計である。
【００６１】
本実施の形態に係る釣銭上限取得部１２７は、さらに、硬貨受取額をさらに含む受取金額を求める。
【００６２】
釣銭支払部１２２は、受取金額取得部１２６によって取得された受取金額が購入額取得部１２０によって取得された購入額よりも多い場合に、受取金額と購入額との差を釣銭額として求める。そして、釣銭支払部１２２は、当該釣銭額が釣銭上限取得部１２７によって求められた釣銭上限額以下であるときに、当該釣銭額に相当するお釣りを支払う。釣銭支払部１２２は、当該釣銭額が釣銭上限額以下ではないときに、当該釣銭上限額に相当するお釣りを支払う。
【００６３】
ここで、釣銭支払部１２２が「金銭を支払う」とは、紙片搬出部１１１と硬貨搬出部１１２とを搬送制御部１２３に制御させることによって、収納庫１０４に収容された紙幣と硬貨とのそれぞれを紙片返却部１０５と硬貨返却部１０６との一方又は両方から排出させることを意味する。
【００６４】
これまで、本発明の一実施の形態に係る自動釣銭機１００の構成について説明した。ここから、本実施の形態に係る自動釣銭機１００の動作について説明する。
【００６５】
自動釣銭機１００は、図５に示すように、購入品の代金の決済をするための決済処理を実行する。決済処理は、電源が投入されて、例えばオペレータが図示しないリーダで購入品のバーコードを読み取ったことを検知した場合、タッチパネルを介してオペレータからの指示を受けた場合などに実行される。
【００６６】
購入額取得部１２０は、購入品の金額である購入額を取得する（ステップＳ１０１）。
【００６７】
取込部１２１は、受取金額をリセットし（ステップＳ１０２）、釣銭上限額をリセットする（ステップＳ１０３）。
【００６８】
詳細には例えば、受取金額取得部１２６は、受取金額を示す情報を保持しており、この情報が示す受取金額に「０」を設定する。また、釣銭上限取得部１２７は、釣銭上限額を示す情報を保持しており、この情報が示す釣銭上限額に「０」を設定する。
【００６９】
取込部１２１は、紙片や硬貨による支払いを受け付ける支払受付処理（ステップＳ１０４）を実行する。
【００７０】
詳細には、支払受付処理（ステップＳ１０４）は、支払いのために受け付けた紙片と硬貨とのそれぞれを取り込むための紙片取込処理（図６）と硬貨取込処理（図７）とを含む。
【００７１】
紙片取込処理と硬貨取込処理とは、ステップＳ１０３の後に、オペレータが紙片と硬貨とのそれぞれを自動釣銭機１００に投入すると開始される。従って、紙片取込処理と硬貨取込処理とのそれぞれは、紙幣と硬貨とが投入された順に開始することになる。そして、例えば、紙片が投入されたことによって紙片取込処理を実行している途中に、硬貨が投入されると、紙片取込処理と硬貨取込処理とが並行して実行されてもよい。硬貨が投入されたことによって硬貨取込処理を実行している途中に、紙片が投入された場合も、同様に、紙片取込処理と硬貨取込処理とが並行して実行されてもよい。
【００７２】
本実施の形態において、紙片を自動釣銭機１００に投入するとは、紙片受取部１０２のスリットに紙片を挿入することを意味する。また、硬貨を自動釣銭機１００に投入するとは、硬貨受取部１０３に硬貨を投入することを意味する。
【００７３】
ここで、図６を参照して、自動釣銭機１００に紙片を取り込むための紙片取込処理について説明する。
【００７４】
図６に示すように、紙片判別部１２４は、紙片受取部１０２から取り込まれた紙片の画像を示す画像情報を紙片スキャナ１０７から取得する（ステップＳ２０１）。
【００７５】
紙片判別部１２４は、ステップＳ２０１にて取得した画像情報に基づいて、紙片受取部１０２から取り込まれた紙片が紙幣か否かを判別する（ステップＳ２０２）。
【００７６】
詳細には例えば、紙片判別部１２４は、ステップＳ２０１にて画像情報を取得すると、記憶部１１８から、紙幣に関する紙幣・金券情報１１８＿ａを記憶部１１８から取得する。紙幣に関する紙幣・金券情報１１８＿ａとは、紙幣・金券区分が紙幣である紙幣・金券情報１１８＿ａである。
【００７７】
紙片判別部１２４は、取得した画像情報と紙幣に関する紙幣・金券情報１１８＿ａの各々とが示す画像の類似度に基づいて、紙片受取部１０２から取り込まれた紙片が紙幣であるか否かを判別する。すなわち、紙片判別部１２４は、紙片の画像と類似する画像が紙幣に関する画像紙幣・金券情報１１８＿ａに含まれている場合に、当該紙片が紙幣であると判別する。紙片判別部１２４は、紙片の画像と類似する画像が紙幣に関する画像紙幣・金券情報１１８＿ａに含まれていない場合に、当該紙片が紙幣でないと判別する。
【００７８】
紙片が紙幣であると判別した場合に（ステップＳ２０２；ＹＥＳ）、紙片判別部１２４は、当該紙幣の額面を判別する（ステップＳ２０３）。
【００７９】
詳細には例えば、紙片判別部１２４は、ステップＳ２０２にて類似すると判別された画像に、紙幣・金券情報１１８＿ａにおいて関連付けられた額面に基づいて、紙幣の額面を判別する。なお、額面の判別方法は、これに限られず、例えば、画像情報が示す画像に基づいて判別されてもよい。
【００８０】
受取金額取得部１２６は、自身が保持している情報が示す受取金額に、ステップＳ２０３にて判別された額面を加算する（ステップＳ２０４）。受取金額取得部１２６は、加算後の受取金額を示す情報を保持する。
【００８１】
釣銭上限取得部１２７は、自身が保持している情報が示す釣銭上限額に、ステップＳ２０３にて判別された額面を加算する（ステップＳ２０５）。釣銭上限取得部１２７は、加算後の釣銭上限額を示す情報を保持する。
【００８２】
紙幣搬送部１０８は、搬送制御部１２３による制御の下で、ステップＳ２０２にて紙幣と判別された紙片を紙幣収容部１１５＿１〜１１５＿３へ搬送する。これにより、搬送制御部１２３は、紙片を紙幣収容部１１５＿１〜１１５＿３に収容する（ステップＳ２０６）。
【００８３】
詳細には、紙幣搬送部１０８は、搬送制御部１２３による制御の下で、紙片を、ステップＳ２０３で判別された額面に応じた紙幣収容部１１５＿１〜１１５＿３に搬送する。これによって、搬送制御部１２３は、紙片を、その額面に応じた紙幣収容部１１５＿１〜１１５＿３に収容すると、紙片取込処理を終了する。
【００８４】
紙片が紙幣でないと判別した場合に（ステップＳ２０２；ＮＯ）、紙片判別部１２４は、ステップＳ２０１にて取得した画像情報に基づいて、当該紙片が金券か否かを判別する（ステップＳ２０７）。
【００８５】
詳細には例えば、紙片判別部１２４は、記憶部１１８から、金券に関する紙幣・金券情報１１８＿ａを記憶部１１８から取得する。金券に関する紙幣・金券情報１１８＿ａとは、紙幣・金券区分が金券である紙幣・金券情報１１８＿ａである。
【００８６】
紙片判別部１２４は、取得した画像情報と金券に関する紙幣・金券情報１１８＿ａの各々とが示す画像の類似度に基づいて、紙片受取部１０２から取り込まれた紙片が金券であるか否かを判別する。すなわち、紙片判別部１２４は、紙片の画像と類似する画像が金券に関する画像紙幣・金券情報１１８＿ａに含まれている場合に、当該紙片が金券であると判別する。紙片判別部１２４は、紙片の画像と類似する画像が金券に関する画像紙幣・金券情報１１８＿ａに含まれていない場合に、当該紙片が金券でないと判別する。
【００８７】
紙片が金券でないと判別した場合（ステップＳ２０７；ＮＯ）、搬送制御部１２３は、紙片搬出部１１１を制御することによって、当該紙片を排出し（ステップＳ２０８）、紙片取込処理を終了する。
【００８８】
紙片が金券であると判別した場合（ステップＳ２０７；ＹＥＳ）、紙片判別部１２４は、当該金券の額面を判別する（ステップＳ２０９）。
【００８９】
詳細には例えば、紙片判別部１２４は、ステップＳ２０７にて類似すると判別された画像に、紙幣・金券情報１１８＿ａにおいて関連付けられた額面に基づいて、金券の額面を判別する。なお、額面の判別方法は、紙幣の場合と同様に、これに限られず、例えば、画像情報が示す画像に基づいて判別されてもよい。
【００９０】
受取金額取得部１２６は、自身が保持している情報が示す受取金額に、ステップＳ２０９にて判別された額面を加算する（ステップＳ２１０）。受取金額取得部１２６は、加算後の受取金額を示す情報を保持する。
【００９１】
紙片判別部１２４は、ステップＳ２０７にて金券であると判別した金券が、釣銭支払可の金券であるか否かを判別する（ステップＳ２１１）。
【００９２】
詳細には例えば、紙片判別部１２４は、ステップＳ２０７にて類似すると判別された画像に、紙幣・金券情報１１８＿ａにおいて関連付けられた釣銭フラグに基づいて、釣銭支払可の金券であるか否かを判別する。本実施の形態では、紙片判別部１２４は、参照した釣銭フラグが「１」である場合に、釣銭支払可の金券であると判別する。参照した釣銭フラグが「０」である場合に、紙片判別部１２４は、釣銭支払可の金券ではない（すなわち、釣銭支払不可の金券である）と判別する。
【００９３】
釣銭支払可の金券であると判別された場合（ステップＳ２１１；ＹＥＳ）、釣銭上限取得部１２７は、自身が保持している情報が示す釣銭上限額に、ステップＳ２０９にて判別された額面を加算する（ステップＳ２１２）。釣銭上限取得部１２７は、加算後の釣銭上限額を示す情報を保持する。
【００９４】
金券搬送部１０９は、搬送制御部１２３による制御の下で、ステップＳ２０７にて金券と判別された紙片を金券収容部１１７＿１〜１１７＿４へ搬送する。これにより、搬送制御部１２３は、紙片を金券収容部１１７＿１〜１１７＿４に収容する（ステップＳ２１３）。
【００９５】
詳細には、金券搬送部１０９のうちの第１金券搬送部は、搬送制御部１２３による制御の下で、ステップＳ２１１にて釣銭支払可の金券と判別された紙片を第１金券収容部１１７＿１及び１１７＿２へ搬送する。金券搬送部１０９のうちの第２金券搬送部は、搬送制御部１２３による制御の下で、ステップＳ２１１にて釣銭支払不可の金券と判別された紙片を第２金券収容部１１７＿３及び１１７＿４へ搬送する。
【００９６】
より詳細には、第１金券搬送部は、搬送制御部１２３による制御の下で、紙片を、ステップＳ２０９にて判別された当該紙片の額面に応じた第１金券収容部１１７＿１及び１１７＿２へ搬送する。第２金券搬送部は、搬送制御部１２３による制御の下で、紙片を、ステップＳ２０９にて判別された当該紙片の額面に応じた第２金券収容部１１７＿３及び１１７＿４へ搬送する。これによって、搬送制御部１２３は、紙片を、その額面に応じた金券収容部１１７＿１〜１１７＿４に収容すると、紙片取込処理を終了する。
【００９７】
次に、図７を参照して、自動釣銭機１００に硬貨を取り込むための硬貨取込処理について説明する。
【００９８】
図７に示すように、硬貨判別部１２５は、硬貨受取部１０３から取り込まれた各硬貨の金額を判別する（ステップＳ３０１）。
【００９９】
受取金額取得部１２６は、自身が保持している情報が示す受取金額に、ステップＳ３０１にて判別された各硬貨の金額を加算する（ステップＳ３０２）。受取金額取得部１２６は、加算後の受取金額を示す情報を保持する。
【０１００】
釣銭上限取得部１２７は、自身が保持している情報が示す釣銭上限額に、ステップＳ３０１にて判別された各硬貨の金額を加算する（ステップＳ３０３）。釣銭上限取得部１２７は、加算後の釣銭上限額を示す情報を保持する。
【０１０１】
硬貨搬送部１１０は、搬送制御部１２３による制御の下で、貨受取部１０３から取り込まれた硬貨を硬貨収容部１１６＿１〜１１６＿６へ搬送する。これにより、搬送制御部１２３は、硬貨を硬貨収容部１１６＿１〜１１６＿６に収容する（ステップＳ３０４）。
【０１０２】
詳細には、硬貨搬送部１１０は、搬送制御部１２３による制御の下で、硬貨を、ステップＳ３０１で判別された金額に応じた硬貨収容部１１６＿１〜１１６＿６に搬送する。これによって、搬送制御部１２３は、硬貨を、その金額に応じた硬貨収容部１１６＿１〜１１６＿６に収容すると、硬貨取込処理を終了する。
【０１０３】
図５を再び参照する。
【０１０４】
タッチパネルなどの入力部からオペレータから支払いの受け付けを完了する旨の指示（支払完了指示）を受け付けると（ステップＳ１０５）、釣銭支払部１２２は、受取金額が購入額以上であるか否かを判定する（ステップＳ１０６）。詳細には、釣銭支払部１２２は、ステップＳ１０１にて取得された購入額とステップＳ１０５にて得られた受取金額とを取得し、受取金額が購入額以上であるか否かを判定する（ステップＳ１０６）。
【０１０５】
受取金額が購入額以上でないと判定された場合（ステップＳ１０６；ＮＯ）、ステップＳ１０４〜Ｓ１０５が再び実行される。
【０１０６】
受取金額が購入額以上であると判定された場合（ステップＳ１０６；ＹＥＳ）、釣銭支払部１２２は、受取金額と購入額とが等しいか否かを判定する（ステップＳ１０７）。
【０１０７】
受取金額と購入額とが等しいと判定した場合（ステップＳ１０７；ＹＥＳ）、釣銭支払部１２２は、プリンタ１１３に取引レシートを出力させる（ステップＳ１０８）。
【０１０８】
ステップＳ１０８にて出力される取引レシートには、例えば、受取金額と購入額とのそれぞれの内訳、釣り銭がないことなどが印刷されるとよい。また、同様の情報が表示部１０１に表示されてもよい。釣銭支払部１２２は、取引レシートを出力させると、決済処理を終了する。
【０１０９】
受取金額と購入額とが等しくないと判定した場合（ステップＳ１０７；ＮＯ）、受取金額が購入額よりも大きく釣り銭を返す必要があるので、釣銭支払部１２２は、釣り銭を支払うための釣銭支払処理（ステップＳ１０９）を実行する。
【０１１０】
詳細には、図８に示すように、釣銭支払部１２２は、釣銭額を求める（ステップＳ４０１）。釣銭額とは、釣り銭として返却すべき金額であって、例えばステップＳ１０６にて取得した受取金額から購入額を引くことによって求められる。
【０１１１】
釣銭支払部１２２は、ステップＳ１０５にて得られた釣銭上限額を取得し、取得した釣銭上限額とステップＳ４０１にて求めた釣銭額とを比較する。これにより、釣銭支払部１２２は、釣銭額が釣銭上限額以下であるか否かを判定する（ステップＳ４０２）。
【０１１２】
釣銭額が釣銭上限額以下であると判定した場合（ステップＳ４０２；ＹＥＳ）、釣銭支払部１２２は、釣銭額に相当するお釣りを支払う（ステップＳ４０３）。
【０１１３】
詳細には例えば、釣銭支払部１２２は、釣銭額に相当する紙幣や貨幣を排出する指示を搬送制御部１２３に出力する。そして、搬送制御部１２３が、指示に応じた紙幣や貨幣のそれぞれを紙片搬出部１１１や硬貨搬出部１１２に搬送させて、紙片返却部１０５や硬貨返却部１０６に排出させる。これによって、釣銭支払部１２２は、釣銭額に相当するお釣りを支払う。
【０１１４】
釣銭支払部１２２は、プリンタ１１３に取引レシートを出力させる（ステップＳ４０４）。
【０１１５】
ステップＳ４０４にて出力される取引レシートには、例えば、受取金額と購入額とのそれぞれの内訳、釣銭額などが印刷されるとよい。また、同様の情報が表示部１０１に表示されてもよい。釣銭支払部１２２は、取引レシートを出力させると、決済処理を終了する。
【０１１６】
釣銭額が釣銭上限額以下でないと判定した場合（ステップＳ４０２；ＮＯ）、釣銭支払部１２２は、釣銭上限額に相当するお釣りを支払う（ステップＳ４０５）。
【０１１７】
詳細には例えば、釣銭支払部１２２は、釣銭上限額に相当する紙幣や貨幣を排出する指示を搬送制御部１２３に出力する。そして、搬送制御部１２３が、指示に応じた紙幣や貨幣のそれぞれを紙片搬出部１１１や硬貨搬出部１１２に搬送させて、紙片返却部１０５や硬貨返却部１０６に排出させる。これによって、釣銭支払部１２２は、釣銭上限額に相当するお釣りを支払う。
【０１１８】
釣銭支払部１２２は、プリンタ１１３に取引レシートを出力させる（ステップＳ４０６）。
【０１１９】
ステップＳ４０４にて出力される取引レシートには、例えば、受取金額と購入額とのそれぞれの内訳、釣銭上限額などが印刷されるとよい。また、同様の情報が表示部１０１に表示されてもよい。釣銭支払部１２２は、取引レシートを出力させると、決済処理を終了する。
【０１２０】
これまで説明したように、本発明の一実施の形態によれば、現金と金券とが混在する支払いを自動的に決済する。これによって、金券が利用可能か否か、金券に対して釣り銭を支払うか否か、の判別のミス、金券の額面の入力ミスなどを軽減することができる。従って、現金と金券とが混在する支払いの際に生じるミスを軽減することが可能になる。
【０１２１】
また、本実施の形態によれば、紙幣と金券と硬貨とを額面（金額）に応じて自動的に分けて収容する。また、金券については、釣り銭の支払い可否によっても自動的に分けて収容する。
【０１２２】
このように、受け取った紙幣と金券と硬貨とを適宜分けて収容する。これにより、例えば、収納庫１０４に収納された紙幣と金券と硬貨とを集計する際に、オペレータなどが仕訳する必要がなくなる。その結果、仕訳時に発生し得るミスを軽減することができるので、現金と金券とが混在する支払いの際に生じるミスを軽減することが可能になる。また、仕訳する必要がなくなる点で、作業を効率的にすることが可能になる。
【０１２３】
以上、本発明の実施の形態及び変形例について説明したが、本発明は、これらに限られるものではない。例えば、本発明は、これまで説明した実施の形態及び変形例の一部又は全部を適宜組み合わせた形態、その形態に適宜変更を加えた形態をも含む。
【産業上の利用可能性】
【０１２４】
本発明は、購入品の代金を決済するための自動釣銭機、ＰＯＳ端末などに適用することができる。
【符号の説明】
【０１２５】
１００  自動釣銭機
１０２  紙片受取部
１０３  硬貨受取部
１０４  収納庫
１０５  紙片返却部
１０６  硬貨返却部
１０７  紙片スキャナ
１０８  紙幣搬送部
１０９  金券搬送部
１１４  制御ユニット
１１５，１１５＿１〜１１５＿３  紙幣収容部
１１６，１１６＿１〜１１６＿６  硬貨収容部
１１７，１１７＿１〜１１７＿４  金券収容部
１１８  記憶部
１１８＿ａ  紙幣・金券情報
１１９  制御部
１２０  購入額取得部
１２１  取込部
１２２  釣銭支払部
１２３  搬送制御部
１２４  紙片判別部
１２５  硬貨判別部
１２６  受取金額取得部
１２７  釣銭上限取得部
【図１】
2018190229.tif 000003
【図２】
2018190229.tif 000004
【図３】
2018190229.tif 000005
【図４】
2018190229.tif 000006
【図５】
2018190229.tif 000007
【図６】
2018190229.tif 000008
【図７】
2018190229.tif 000009
【図８】
2018190229.tif 000010